(57)【要約】レール外形を形成すべく互いの周囲に係合し且つ互いに対し長手方向に移動できる第１シートレール（５）及び第２シートレール（８）と、シートレールを互いに固定でき且つシートレールにより形成されたレール外形の内部に少なくとも大部分が配置されるレールロック手段（１０）を有する車両シート用縦方向調整装置に、ロック解除ユニット（３０）を作動させる差動装置（１１）が設けられ、ロック解除ユニットはシートレールにより形成されたレール外形の内部に少なくとも大部分が配置され、差動装置をロック解除ユニットに連結する力伝達要素（３５）が設けられ、力伝達要素は、一端が第２シートレールに側面から挿入され、第２シートレールのレール外形内に又は後者を通って延び、第２シートレールの内部でロック解除ユニットと相互作用し、力伝達要素とロック解除ユニットの間に確実なロック結合が設けられ、力伝達要素は同時に作動装置を旋回可能に取り付けるのに役立つ。
2013537137.tif 000002
【特許請求の範囲】
【請求項１】
車両シート、特に自動車シート用の縦方向調整装置であって、
車両構造体に連結される少なくとも１つの第１シートレール（５）と、車両シートに連結される少なくとも１つの第２シートレール（８）とを含み、
前記シートレール（５，８）は、レール外形を形成するように互いの周囲に係合し、且つ互いに対して相対的に長手方向に移動可能であり、
前記シートレール（５，８）を互いに固定するレールロック手段（１０）を含み、
前記レールロック手段（１０）は、前記シートレール（５，８）によって形成された前記レール外形の内部に少なくとも大部分が配置され、
ロック解除ユニット（３０）と、前記ロック解除ユニット（３０）を作動させるための差動装置（１１）とが設けられ、
前記ロック解除ユニット（３０）は、前記シートレール（５，８）によって形成された前記レール外形の内部に少なくとも大部分が配置され、
前記差動装置（１１）を前記ロック解除ユニット（３０）に連結する力伝達要素（３５）が設けられ、
前記力伝達要素（３５）は、一端が前記第２シートレール（８）内に側面から挿入され、前記第２シートレール（８）の前記レール外形内に又は前記第２シートレール（８）を通って延び、前記第２シートレール（８）の内部で前記ロック解除ユニット（３０）と協働し、
前記力伝達要素（３５）と前記ロック解除ユニット（３０）との間にポジティブ結合が設けられ、
前記力伝達要素（３５）は、同時に、前記差動装置（１１）の旋回可能な取り付けに使用されることを特徴とする縦方向調整装置。
【請求項２】
前記力伝達要素（３５）は少なくとも部分的にシャフト（３６）によって形成され、
前記シャフトは、前記シートレール（５，８）の長手方向に対して垂直に延びる作動旋回軸（Ｂ）を有し、
前記力伝達要素（３５）は、少なくとも前記第２のシートレール（８）の内部まで、詳細には前記第２シートレール（８）を通って横方向に延びることを特徴とする、請求項１に記載の縦方向調整装置。
【請求項３】
前記ロック解除ユニット（３０）は少なくとも１つのレバーアーム（３２）を有し、前記レバーアームは、前記レール外形の内部に完全に配置され且つ前記力伝達要素（３５）に連結されることを特徴とする、請求項１又は２に記載の縦方向調整装置。
【請求項４】
前記レバーアーム（３２）は、前記力伝達要素（３５）と同心に延びる作動旋回軸（Ｂ）を中心に前記力伝達要素（３５）によって旋回可能であることを特徴とする、請求項３に記載の縦方向調整装置。
【請求項５】
前記力伝達要素（３５）は、前記ロック解除ユニット（３０）の前記レバーアーム（３２）に単にポジティブな方法でスプライン（３７）を介して連結されることを特徴とする、請求項１〜４のいずれか１項に記載の縦方向調整装置。
【請求項６】
前記ロック解除ユニット（３０）は少なくとも１つのサイドプレート（３１）を有し、前記サイドプレートは、前記レールロック手段（１０）を係合状態から抜け出させるために、前記レバーアーム（３２）によって下げられることができることを特徴とする、請求項１〜５のいずれか１項に記載の縦方向調整装置。
【請求項７】
前記レールロック手段（１０）はガイド部分（２４）を有し、前記ガイド部分は前記第２シートレール（８）に取り付けられ且つガイドフィンガー（１４）のためのガイドスリーブを有することを特徴とする、請求項１〜６のいずれか１項に記載の縦方向調整装置。
【請求項８】
前記レールロック手段（１０）はガイド部分（２４）を有し、前記ガイド部分は前記第２シートレール（８）に取り付けられ且つロックばね（１６）に固定して連結され、前記ロックばねはロック要素、特にロッキングプレート（１２）をロック位置に引き入れることを特徴とする、請求項１〜７のいずれか１項に記載の縦方向調整装置。
【請求項９】
前記力伝達要素（３５）に位置する２つのレバーアーム（３２）が設けられ、あぶみ状領域（３３）を介して一端で相互に連結されることを特徴とする、請求項１〜８のいずれか１項に記載の縦方向調整装置。
【請求項１０】
前記力伝達要素（３５）はシャフト（３６）によって形成され、前記シャフトはその旋回軸と同心に前記作動装置（１１）を取り付け、前記力伝達要素（３５）と前記作動装置（１１）との間の取り付け位置の領域に過負荷安全装置が設けられ、前記過負荷安全装置はロック解除のための通常の作動方向と反対方向の過負荷を防ぐことを特徴とする、請求項１〜９のいずれか１項に記載の縦方向調整装置。
【請求項１１】
前記過負荷安全装置の一部が、Ｖ字型溝（３９’）が形成された前記力伝達要素（３５）の端部であり、前記溝（３９’）内に突出するタブ（４４’）を有する伝動パイプ（４４）が、前記力伝達要素の前記端部に載ることを特徴とする、請求項１０に記載の縦方向調整装置。
【請求項１２】
Ｖ字型に曲げられた端部領域を有する誤使用過負荷防止ばね（４８）が更に設けられ、通常の使用状態において前記溝（３９’）内に延びることを特徴とする、請求項１１に記載の縦方向調整装置。
【請求項１３】
通常の使用状態において、Ｖ字型に曲げられた前記端部領域は、一方の側で前記溝（３９’）の壁に、他方の側で前記伝動パイプ（４４）の前記タブ（４４’）に支えられることを特徴とする、請求項１２に記載の縦方向調整装置。
【請求項１４】
誤操作が生じた場合に、前記タブ（４４’）は、前記溝（３９’）の前記壁から離され、Ｖ字型に曲げられた前記誤使用過負荷防止ばね（４８）の前記端部領域は、前記溝（３９’）から部分的に押されることを特徴とする、請求項１１〜１３のいずれか１項に記載の縦方向調整装置。
【請求項１５】
前記力伝達要素（３５）は、前記シートレール（５，８）の長手方向に対して垂直に延びる作動旋回軸（Ｂ）を有し、前記過負荷安全装置は、前記作動装置（１１）の通常の作動方向と反対の前記作動旋回軸（Ｂ）の周りの相対回転運動を可能にし、一方、前記力伝達要素（３５）は前記作動旋回軸（Ｂ）の周りで回転しないか又はわずかな範囲でのみ回転することを特徴とする、請求項１〜１４のいずれか１項に記載の縦方向調整装置。
【発明の詳細な説明】
【技術分野】
【０００１】
本発明は、請求項１の前提部における特徴を有する、車両シート用、特に自動車シート用の縦方向調整装置に関するものである。
【背景技術】
【０００２】
このタイプの縦方向調整装置は、特許文献１から周知である。この場合、車両構造体に連結された第１シートレールとシート構造体に連結された第２シートレールとが設けられ、互いの周囲に係合し、互いに対して相対的に縦方向に移動可能である。主としてレール外形（プロファイル）の内側に配置されたレールロック手段と、レール外形の外側に配置され且つ作動状態でレールロック手段に作用するロック解除フラップとが更に設けられる。ロック解除フラップは、ホルダーによって第２シートレールに旋回可能に取り付けられる。
【０００３】
また、レールロック手段の作動装置が、特許文献２から周知であり、回転可能に又は旋回可能にシートレールに取り付けられたレバーを有し、レバーは、シートレールのロック解除手段にシートレールの外側で確実に又は一体的に連結される。旋回可能な配置のため、レバーは、ロック解除手段から距離を置いて、外側からシートレールの開口部に挿入することができる。レバーは、同様にシートレールの外側に配置され且つ同様にロック解除手段に連結されたクリップと協働する。ロック解除手段は、スリットを通って外側に突出し且つクリップ内にクランプされた突起を有する。
【０００４】
車両構造体に連結される２つの第１シートレールと車両シートに連結される２つの第２シートレールとを備える車両シート用縦方向調整装置が特許文献３から周知であり、この装置では、第１及び第２のシートレールがレール外形を形成するように互いの周囲に係合し、且つ互いに対して相対的に長手方向に移動可能である。シートレールを互いに固定するレールロック手段が設けられ、レールロック手段は、シートレールによって形成されたレール外形の内部に少なくとも大部分が配置される。また、ロック解除ユニットと、ロック解除ユニットを作動させるための作動装置とが設けられ、ロック解除ユニット（詳細には図示されていない）は、シートレールによって形成されたレール外形の内部に大部分が配置され、第２シートレールから横方向に突出するレバーアームのみが示されている。作動装置をロック解除ユニットに連結する、力伝達要素が更に設けられる。この場合、力伝達要素は、クロスバーと、クロスバーに固定して連結された２つのロッカーレバーとによって形成される。クロスバーは、取り付け位置で第２シートレールに横方向に取り付けられ、この目的のために第２シートレールに単孔が設けられ、これらの単孔にクロスバーの端部が取り付けられる。ロッカーレバーが第２シートレールの外側に少し距離を置いて配置され、レール外形から突出するロック解除ユニットの対応するレバーアームと一端で連携する。２つのロッカーレバーの一方は長く、レバーアームから離れた端部と共に、作動機構のハンドレバーを形成する。
【０００５】
力伝達要素と作動装置との間に過負荷安全装置を設けてロック解除のための通常の作動方向と反対方向の過負荷を防ぐ縦方向調整装置が、更に特許文献４から周知である。この過負荷安全装置の変形例によれば、前記過負荷安全装置は、過負荷の場合に作動レバーが曲がるように設けられる。他の変形例では、作動レバーは、シャフトに対して偏心して取り付けられ、ばねにより付勢されたシャフトの偏心部分に寄り掛かる。ロック解除のための通常の作動方向と反対の作動レバーに作用する力によってもたらさトルクが反対に作用する復元力のトルクを超えると、作動レバーはそれによりシャフトから外れるようになる。
【先行技術文献】
【特許文献】
【０００６】
【特許文献１】独国特許発明第１０２００６０２１８８４号明細書
【特許文献２】独国特許出願公開第１０２００８０５８５１８号明細書
【特許文献３】独国特許出願公開第１９５１０６１８号明細書
【特許文献４】独国実用新案第２０２０８７１９号明細書
【発明の概要】
【発明が解決しようとする課題】
【０００７】
本発明の目的は、冒頭で述べたタイプの縦方向調整装置を改良することである。
【課題を解決するための手段】
【０００８】
この目的は、請求項１の特徴を有する発明によって達成される。有利な実施形態は、従属請求項に記載される。
【０００９】
力伝達要素が、第２シートレール内に又は第２シートレールを通って延び、それと同時に、作動装置の旋回可能な取り付けに使用されるので、シートレール用のロック解除手段を完全にレール外形内で動かすことができ、装置全体が保護される。また、作動プロセスのための空間要件は最小限に抑えられる。
【００１０】
力伝達要素は、好ましくは少なくとも部分的にシャフトによって形成され、シャフトはシートレールの長手方向に対して垂直な作動旋回軸を有し、力伝達要素は、少なくとも第２シートレール内まで、詳細には第２シートレールを通って横方向に延びる。力伝達要素が横方向に第２シートレールを通って延びる場合、シートレールの横方向の開口部は、結果として取り付け位置として使用することができる。特に好ましくは、摩擦を低減するために開口部にベアリングが配置され得る。更に、ベアリングの少なくとも１つを、力伝達要素の軸方向の移動可能性を定めるために使用することができる。
【００１１】
ロック解除ユニットは、好ましくは少なくとも１つのレバーアームを有し、レバーアームは、第２シートレール内に完全に配置され且つ力伝達要素に連結される。レバーアームは、特に好ましくは、力伝達要素と同心に延びる作動旋回軸の周りで力伝達要素によって旋回可能であり、そのために、レバーアームは、力伝達要素上に、特に好ましくはポジティブ嵌合で取り付けられる。例えば、ポジティブ嵌合は、スプラインによって、詳細には星形スプラインによって行われてもよいが、他のスプライン、詳細には、正方形、六角形、又は弦のように切断した領域を有する円形スプラインもまた可能である。点対称でない外形を使用する場合は、レバーアームと力伝達要素との位置合わせを、結果として容易に定めることができる。
【００１２】
レールロック手段は、好ましくはガイド部分を有し、ガイド部分は、第２シートレールに取り付けられ且つガイドフィンガー用のガイドスリーブを有する。ガイドフィンガーはロッキングプレートを導くために使用される。この場合、ガイドフィンガーの長さは、第２シートレールに設ける開口部の数を減らすことができるように、ガイドフィンガーも第２シートレール内にあるそれらの対応する終了位置（ロック位置）で終わるような寸法とすることができる。
【００１３】
特に好ましくは、ロックばねがガイド部分に設けられ、ロッキングプレートをロック位置に引き入れる。これらのロックばねは、ガイド部分に直接、一体鋳造することができるだけでなく、他の方法でガイド部分に連結することもできる。
【００１４】
対称性の理由で、好ましくは、力伝達要素上にある２つのレバーアームが設けられる。これらは、特に好ましくは、あぶみ状領域によって一端で相互に連結される。このあぶみ状領域は、例えば、誤操作が生じた場合に力伝達要素が望ましくない方向への回転するのを防ぐ、ばねの始点として使用することができる。
【００１５】
図面に示された例示的な実施形態に基づいて、以下で本発明を更に詳細に説明する。
【図面の簡単な説明】
【００１６】
【図１】ロック位置にある例示的な実施形態の斜視図を示す。
【図２】図１の開放側面図を示す。
【図３】図１の斜視露出図を示す。
【図４】ロック状態にあるロック領域の開放側面図を示す。
【図５】ロック解除状態にある図４に対応する図を示す。
【図６】シートレールの長手方向における例示的な実施形態の図を示す。
【図７】連結領域を通る断面図を示す。
【図８】ロック位置において図６のＡ−Ａ線に沿って切断した側面図を示す。
【図９】追加拡大詳細図を有する図８からの詳細図を示す。
【図１０】誤操作の位置において図６のＡ−Ａ線に沿って切断した側面図を示す。
【図１１】追加拡大詳細図を有する図１０からの詳細図を示す。
【図１２】ロック解除ブロックを含むロックユニットの斜視図を示す。
【図１３】サイドプレートの図なしで図１２に対応する斜視図を示す。
【図１４】車両シートの概略側面図を示す。
【発明を実施するための形態】
【００１７】
自動車における車両シート３の縦方向調整装置１は、車両シート３の（手動の）縦方向調整のために、すなわち、縦方向位置の調整のために使用される。縦方向調整装置１は、車両シートのそれぞれの側に、車両構造体に連結された第１シートレール５と、車両シートに連結された第２シートレール８とから成る一対のシートレールを備える。２つのシートレール５及び８は、レール外形を形成するように互いの周りに係合し、且つ互いに対して相対的に長手方向に移動可能であり、２つのシートレール５及び８の間には摩擦を軽減するためにボール（図示せず）が配置される。例示的な実施形態の配置では、第２シートレール８は、第１シートレール５を超えて上方に（垂直方向に）突出し、長手方向と共に、使用方向を画定しているが、原理的には横方向の（水平方向の）突出も可能である。
【００１８】
２つのシートレール５及び８は、レール外形の内部に大部分が配置されたレールロック手段１０によって互いに固定することができ、この原理は、その開示が明示的に本明細書に組み込まれている、独国特許第１００４１６０５号明細書に記載されている。このレールロック手段１０は、シートレールの外側に配置された作動装置１１によって解除可能であり、車両シート３の前端で前方方向に突出する、持ち上げ用のハンドグリップ又はあぶみ状部材を有する。
【００１９】
レールロック手段１０は、少なくとも１つのロッキングプレート１２を有し、ロッキングプレートは、ガイドフィンガー１４によって第２シートレール８に移動可能に取り付けられ、且つロックばね１６によって前記ガイドフィンガーに対して付勢される。ロッキングプレート１２から突出する歯１８が、第２シートレール８のスリット開口部２０を通って、第１シートレール５の移動止め２１に係合する。ガイドフィンガー１４は、この場合はレール外形から突出し、且つ第２シートレール８を僅かに超えて突出する。
【００２０】
ガイドフィンガー１４は、プラスチックから射出成形されたガイド部分２４のスリーブ状延長部分に導かれる。更に、ロックバネ１６は、一端がこのガイド部分２４に一体的に入れられ、一方、他端はロッキングプレート１２に連結される。
【００２１】
実質的に継続するロック過程のために及び長手方向のロック強度を高めるために、レールロック手段１０は、この場合は長手方向に連続して配置された３つのロッキングプレート１２を有する。３つのロッキングプレート１２に割り当てられたすべてのガイドフィンガー１４が、この場合には３つのスリーブ状延長部分を有する単一のガイド部分２４に導かれる。しかしながら、異なる数のロッキングプレート、例えば、レールロック手段ごとに１つのロッキングプレートのみを設けることも可能である。また、各ロッキングプレートはそれ専用のガイド部分に連結することができる。また、ロッキングプレートごとのガイドフィンガー及び／又はロックばねの数はより多くてもよい。
【００２２】
３つのロッキングプレート１２のための共通のガイド部分２４は、図３に見られるように、上からねじ込まれた２つのネジ２６によって第２シートレール８の外形内に保持され、ガイドフィンガー１４は、ガイド部分２４を通って突出し、且つ第２シートレール８の対応する開口部を通って外側に突出する。
【００２３】
スリーブ状延長部分を備えた対応するガイド部分を設けた結果、より短いガイドフィンガー長も形成することができるが、その場合、ガイドフィンガーは、第２シートレール８の開口部に突出せず、すなわち、ガイドフィンガーは、スリーブ状延長部分の内部で移動する。
【００２４】
レールロック手段１０は、ロック解除ユニット３０によって部分的に囲まれ、ロック解除ユニットは、この場合完全に第２シートレール８の内部に配置される。ロック解除ユニット３０は、２つのサイドプレート３１を有し、サイドプレートは、ロッキングプレート１２の歯１８の上でシートレール５，８の長手方向に延びる。ロック状態で、２つのサイドプレート３１は、ガイド部分２４の下側に寄り掛かり、且つロッキングプレート１２から少なくともわずかに距離を置いているが、場合によりロッキングプレート１２に軽く寄り掛かってもよい。これらのサイドプレート３１は、この場合はプラスチックで構成されるが、例えば金属などの他の適した材料でも構成され得る。
【００２５】
ロック解除ユニット３０は、横方向外側に突出するピンでサイドプレート３１に旋回可能に連結され且つシートレール５，８の長手方向に対して垂直に配置された作動旋回軸Ｂの周りを旋回可能な２つのレバーアーム３２を更に有し、サイドプレート３１は、前記レバーアームによって前後に移動可能である。２つのレバーアーム３２は、この場合はサイドプレート３１から離れた側のあぶみ状領域３３によって相互に堅く連結されているが、別々に形成されてもよい。
【００２６】
レバーアーム３２は、この場合は打ち抜かれて成形された鋼板で構成される。十分な強度があれば、詳細には特に応力を受ける領域に対応する挿入物及び／又は補強材があれば、レバーアームは、例えばプラスチックで構成してもよい。言うまでもなく、適切な強度特性を有する他の材料もまた可能である。
【００２７】
この場合は板ばねによって形成されている戻しばね３４が、２つのレバーアーム３２の間であぶみ状領域３３に配置され、第２シートレール８の内面に対して支持される。
【００２８】
板ばねの代わりに、好ましくはレバーアーム３２に復元力を与えるように第２シートレールに支持される、他の適切なばねを設けてもよい。ばねは、必ずしもあぶみ状領域３３に係合しなくてもよいが、例えばレバーアーム３２と、特にこれらを別々に形成した場合に、直接協働してもよい。
【００２９】
ロック解除ユニット３０の２つのレバーアーム３２は、力伝達要素３５を介して前記作動装置１１に、ボジティブ、非ポジティブ及び／又は一体的な方法で、しかしながら特に好ましくはポジティブな方法で連結される。この場合は、シャフト３６が力伝達要素３５として働き、力はシャフト３６に形成された星形スプライン３７によってポジティブ嵌合によって伝達される。星形スプライン３７の代わりに、その横断面が円形と異なり且つ最小限の遊びで力の伝達を可能にする、他の任意の中実又は中空の断面形状も考えられる。スプライン３７は、互いから離れて対向する２つのレバーアーム３２の側面間の距離よりもわずかに大きい長さにわたって延びる。２つのレバーアーム３２のスペーサとして使用されるスリーブ４０が、この場合はわずかな遊びを有してシャフト３６に載っている。スリーブはまた、シャフトに押し付けられてもよいし、かなりの遊びを有してシャフトに軽く載ってもよい。
【００３０】
シャフト３６は、第２シートレール８の横方向開口部に、ベアリング４２を間に配置した状態で取り付けられ、前記ベアリングはスプライン３７の両側に配置され、第２シートレール８の対応する領域は第１シートレール５から突出する。シャフト３６は複数の段を付けられ、第２シートレール８を越えて突出する第１端部領域３８は、端面が面取りされ、且つそこからわずかな距離に環状溝が形成される。こちら側に配置された第１ベアリング４２は、その内側の側面に対応する円周方向リブを有し、前記リブは、組み立てられるときに環状溝に配置され、それによりシャフト３６を第１ベアリング４２内に固定する。一方、第１ベアリング４２は、その外側の側面に円周方向環状溝を有し、この円周方向環状溝に第２シートレール８の側壁が配置される。この配置は、シャフト３６を第２シートレール８内に保持する。前記スプライン３７は、取り付け領域に隣接して配置され、スプライン３７の対応する谷径は、この場合は概ね第１ベアリング４２が位置するところの外径に相当する。スプライン３７自体は、それに対応して輪郭付けられたレバーアーム３２の開口部内に配置される。スリーブ４０は、前記スプライン上に位置する。第２ベアリング４２は、この場合はスプライン３７の外径よりもわずかに小さい外径を有する領域で、スプライン３７に隣接して配置される。第２ベアリング４２は、更なる段部に支持される。
【００３１】
シャフト３６は、シャフト３６の長手方向に延びるＶ字型溝３９’を有する円筒状領域において第２端部領域３９で終端し、前記Ｖ字型溝はこの場合９０°の角度を有する。このシャフト３６の第２端部領域３９はまた、以下、作動端と称される。全体的に、シャフト３６は、このようにビット状に形成されている。ベアリング４２の組み立てのために、前記ベアリングは、若干弾性的に広げられてシャフト３６上をスライドさせられる。この場合、ベアリング４２はまた、開口部を作るように形成されてもよい。
【００３２】
また、Ｖ字型溝３９’の角度は、直角とは異なる場合がある。更に、湾曲した壁も考えられる。
【００３３】
作動レバー４６に堅く連結された、例えばそれに溶接された伝動パイプ４４が、シャフト３６の作動端に位置する。また、板ばねの形態の誤使用過負荷防止ばね４８が設けられ、作動レバー４６に堅く連結される。
【００３４】
そのレール側端部において、伝動パイプ４４は３／４円形領域を有し、３／４円形領域は、パイプに長手方向の切り込みを入れること、及び、それにより形成された短縮タブ４４’をこの場合９０°折り曲げることよって形成される。図９から分かるように、タブ４４’は、通常状態では溝３９’の壁に、すなわち、作動レバー４６の移動方向に配置された溝３９’の側面に支えられる。或いは、タブ４４’の他の曲げ角度もまた可能である。
【００３５】
誤使用過負荷防止ばね４８の端部領域は、伝動パイプの側で、レールロック手段１０のロック状態及びレールロック手段１０のロック解除状態での作動レバー４６の通常配置の両方で、それがタブ４４’とこの場合は平面的な形の溝３９’の反対側の壁とに付勢される形で寄り掛かるように曲げられる。この配置が過負荷防止装置５０を形成し、その機能を更に以下でより詳細に説明する。
【００３６】
装置全体は、第１ステップで、レールロック手段１０を含むロック解除ユニット３０を第２シートレール８内に配置することによって、及び、ガイド部分２４にねじ２６をねじ込むことにより前記ユニットをねじ２６で上から留めることによって、組み立てられる。第１ベアリング４２は、事前に又は直後に第２シートレール８の対応する開口部に挿入されることができ、一方、第２ベアリング４２は、第２シートレール８への組み立て前に力伝達要素３５上に直接スライドさせられる。次いで、力伝達要素３５の第１端部領域３８は、第２ベアリング４２に割り当てられた第２シートレール８の開口部を通して、且つ、スリーブ４０を含む２つのレバーアーム３２を通して横方向にスライドさせられ、スプライン３７が第１レバーアーム３２の対応する開口部に達すると、レバーアーム３２に関して決められた形に整列される。第１ベアリング４２の内周全体に延びるリブが第１端部領域３８に隣接した環状溝にはまり、それにより配置を回転可能に固定するとすぐに、挿入は終わる。次いで、作動装置１１の伝動パイプ４４が適切な位置合わせで第２端部領域３９上にスライドさせられ、誤使用過負荷防止ばね４８の曲げられた端部領域が溝３９’に入り込む。
【００３７】
次いで、第２シートレール８が、レールロック手段１０及びロック解除ユニット３０と共に、第１シートレール５に挿入される。
【００３８】
装置全体は以下のように機能する。
【００３９】
ロックされた開始位置では、レールロック手段１０が作動させられ、すなわち、ロッキングプレート１２のうちの少なくとも１つの歯１８が第１シートレール５の移動止め２１内にグリップする。
【００４０】
グリップをも備え得る作動装置１１の作動レバー４６が、ロック解除ユニット３０を作動させるために持ち上げられ、すなわち、作動旋回軸Ｂを中心に図９における時計方向に回転させられると、それによりタブ４４’が力伝達要素３５を駆動し、シャフト３６が時計回り方向に回転させられる。この回転運動によって、スプライン３７が２つのレバーアーム３２を駆動し、それによりレバーアーム３２に旋回可能に取り付けられたサイドプレート３１が下げられ、ロッキングプレート１２をロックばね１６の上昇復元力に抗して移動止め２１から下方に押す。すべての歯１８が移動止め２１の外に出るとすぐに、ロックが解除され、車両シート３を含む第２シートレール８を、第１シートレール５に対して相対的に移動させることができる。２つのレバーアーム３２の間であぶみ状領域３３の上縁部に寄り掛かる戻しばね３４が、レバーアーム３２の所定の回転角度からの更なる回転運動に対抗し、ロックばね１６の動作を支持する。
【００４１】
車両シート３の縦方向の移動の後に作動レバー４６を解放すると、レバーはこのように戻しばね３４の弾性により補助されたロックばね１６の復元力により、その下方の開始位置に再び戻る。
【００４２】
誤操作の結果、又は誤って、作動装置１１の作動レバー４６が更に下方に、すなわち図９から反時計方向に押された場合、それにより過負荷安全装置５０が作動され、力伝達要素３５がその位置に留まるのに対し、伝動パイプ４４は、タブ４４’が溝３９’の壁から遠ざかるように、軸Ｂを中心に作動レバー４６と共同で回転する。誤使用過負荷防止ばね４８がそれにより溝３９’から部分的に押され、レールロック手段１０又はロック解除ユニット３０を損傷する恐れがある力が力伝達要素３５に伝達されないことがそれにより保証される。
【００４３】
溝３９’内にあるその開始位置から部分的に押し出された誤使用過負荷防止ばね４８の力は、操作レバー４６に作用する誤操作力を若干弱め、特に、事実上の誤操作力がなくなるか又はそれに応じて前記力が低くなるとすぐに、作動レバー４６がその開始位置に戻ることを確実にし、伝動パイプ側にある誤使用過負荷防止ばね４８の屈曲端部領域は、ばねの付勢により溝３９’内にあるその開始位置に押し戻される。誤使用過負荷防止ばね４８の屈曲端部領域は、この場合、くさびとしての役割を果たす。このくさび効果により、タブ４４’と溝３９’の反対側の壁との間の自由角度が再び大きくなり、それにより、タブ４４’が再び溝３９’の他方の壁に寄り掛かるまで、伝動パイプ４４が力伝達要素３５を中心に逆回転し、作動レバー４６が持ち上げられる。
【００４４】
シャフト３６の延長部分が第２シートレール８を通って横方向に延びることは先に述べたが、シャフト３６の第１端部領域３８もまた第２シートレール８の内部で終端し得る。この場合、シャフト３６は、例えば、第２シートレール８に形成された取り付け位置によって又は第２シートレールの外側の１つ又は複数の追加の取り付け位置によってのみ取り付けることができる。更なる実施形態、特に過負荷安全装置の実施形態は、上記の方法で実現させることができる。
【００４５】
また、点対称のスプラインの代わりに、非対称の実施形態も提供されることができ、シャフトの溝に関するレバーアームの所定の位置合わせも可能であるという利点を有する。
【符号の説明】
【００４６】
１  縦方向調整装置
３  車両シート
５  第１シートレール
８  第２シートレール
１０  レールロック手段
１１  作動装置
１２  ロッキングプレート
１４  ガイドフィンガー
１６  ロックばね
１８  歯
２０  スリット開口部
２１  移動止め
２４  ガイド部分
２６  ねじ
３０  ロック解除ユニット
３１  サイドプレート
３２  レバーアーム
３３  あぶみ状領域
３４  戻しばね
３５  力伝達要素
３６  シャフト
３７  スプライン
３８  第１端部領域
３９  第２端部領域
３９’  溝
４０  スリーブ
４２  ベアリング
４４  伝動パイプ
４４’  タブ
４６  作動レバー
４８  誤使用過負荷防止ばね
５０  過負荷安全装置
Ｂ  作動旋回軸
【図１】
2013537137.tif 000003
【図２】
2013537137.tif 000004
【図３】
2013537137.tif 000005
【図４】
2013537137.tif 000006
【図５】
2013537137.tif 000007
【図６】
2013537137.tif 000008
【図７】
2013537137.tif 000009
【図８】
2013537137.tif 000010
【図９】
2013537137.tif 000011
【図１０】
2013537137.tif 000012
【図１１】
2013537137.tif 000013
【図１２】
2013537137.tif 000014
【図１３】
2013537137.tif 000015
【図１４】
2013537137.tif 000016
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
車両シート、特に自動車シート用の縦方向調整装置であって、
車両構造体に連結される少なくとも１つの第１シートレール（５）と、車両シートに連結される少なくとも１つの第２シートレール（８）とを含み、
前記シートレール（５，８）は、レール外形を形成するように互いの周囲に係合し、且つ互いに対して相対的に長手方向に移動可能であり、
前記シートレール（５，８）を互いに固定するレールロック手段（１０）を含み、
前記レールロック手段（１０）は、前記シートレール（５，８）によって形成された前記レール外形の内部に少なくとも大部分が配置され、
ロック解除ユニット（３０）と、前記ロック解除ユニット（３０）を作動させるための差動装置（１１）とが設けられ、
前記ロック解除ユニット（３０）は、前記シートレール（５，８）によって形成された前記レール外形の内部に少なくとも大部分が配置され、
前記差動装置（１１）を前記ロック解除ユニット（３０）に連結する力伝達要素（３５）が設けられ、
前記力伝達要素（３５）は、一端が前記第２シートレール（８）内に側面から挿入され、前記第２シートレール（８）の前記レール外形内に又は前記第２シートレール（８）を通って延び、前記第２シートレール（８）の内部で前記ロック解除ユニット（３０）と協働し、
前記力伝達要素（３５）と前記ロック解除ユニット（３０）との間にポジティブ結合が設けられ、
前記力伝達要素（３５）は、同時に、前記差動装置（１１）の旋回可能な取り付けに使用され、
前記ロック解除ユニット（３０）は少なくとも１つのサイドプレート（３１）を有し、前記サイドプレートは、前記レールロック手段（１０）を係合状態から抜け出させるために、レバーアーム（３２）によって下げられることができることを特徴とする縦方向調整装置。
【請求項２】
前記力伝達要素（３５）は少なくとも部分的にシャフト（３６）によって形成され、
前記シャフトは、前記シートレール（５，８）の長手方向に対して垂直に延びる作動旋回軸（Ｂ）を有し、
前記力伝達要素（３５）は、少なくとも前記第２のシートレール（８）の内部まで、詳細には前記第２シートレール（８）を通って横方向に延びることを特徴とする、請求項１に記載の縦方向調整装置。
【請求項３】
前記レバーアーム（３２）は、前記レール外形の内部に完全に配置され且つ前記力伝達要素（３５）に連結されることを特徴とする、請求項１又は２に記載の縦方向調整装置。
【請求項４】
前記レバーアーム（３２）は、前記力伝達要素（３５）と同心に延びる作動旋回軸（Ｂ）を中心に前記力伝達要素（３５）によって旋回可能であることを特徴とする、請求項３に記載の縦方向調整装置。
【請求項５】
前記力伝達要素（３５）は、前記ロック解除ユニット（３０）の前記レバーアーム（３２）に単にポジティブな方法でスプライン（３７）を介して連結されることを特徴とする、請求項１〜４のいずれか１項に記載の縦方向調整装置。
【請求項６】
前記スプライン（３７）は星型に形成されることを特徴とする、請求項５に記載の縦方向調整装置。
【請求項７】
前記レールロック手段（１０）はガイド部分（２４）を有し、前記ガイド部分は前記第２シートレール（８）に取り付けられ且つガイドフィンガー（１４）のためのガイドスリーブを有することを特徴とする、請求項１〜６のいずれか１項に記載の縦方向調整装置。
【請求項８】
前記レールロック手段（１０）はガイド部分（２４）を有し、前記ガイド部分は前記第２シートレール（８）に取り付けられ且つロックばね（１６）に固定して連結され、前記ロックばねはロック要素、特にロッキングプレート（１２）をロック位置に引き入れることを特徴とする、請求項１〜７のいずれか１項に記載の縦方向調整装置。
【請求項９】
前記力伝達要素（３５）に位置する２つのレバーアーム（３２）が設けられ、あぶみ状領域（３３）を介して一端で相互に連結されることを特徴とする、請求項１〜８のいずれか１項に記載の縦方向調整装置。
【請求項１０】
前記力伝達要素（３５）はシャフト（３６）によって形成され、前記シャフトはその旋回軸と同心に前記作動装置（１１）を取り付け、前記力伝達要素（３５）と前記作動装置（１１）との間の取り付け位置の領域に過負荷安全装置が設けられ、前記過負荷安全装置はロック解除のための通常の作動方向と反対方向の過負荷を防ぐことを特徴とする、請求項１〜９のいずれか１項に記載の縦方向調整装置。
【請求項１１】
前記過負荷安全装置の一部が、Ｖ字型溝（３９’）が形成された前記力伝達要素（３５）の端部であり、前記溝（３９’）内に突出するタブ（４４’）を有する伝動パイプ（４４）が前記力伝達要素の前記端部に載ることを特徴とする、請求項１０に記載の縦方向調整装置。
【請求項１２】
Ｖ字型に曲げられた端部領域を有する誤使用過負荷防止ばね（４８）が更に設けられ、通常の使用状態において前記溝（３９’）内に延びることを特徴とする、請求項１１に記載の縦方向調整装置。
【請求項１３】
通常の使用状態において、Ｖ字型に曲げられた前記端部領域は、一方の側で前記溝（３９’）の壁に、他方の側で前記伝動パイプ（４４）の前記タブ（４４’）に支えられることを特徴とする、請求項１２に記載の縦方向調整装置。
【請求項１４】
誤操作が生じた場合に、前記タブ（４４’）は、前記溝（３９’）の前記壁から離され、Ｖ字型に曲げられた前記誤使用過負荷防止ばね（４８）の前記端部領域は、前記溝（３９’）から部分的に押されることを特徴とする、請求項１１〜１３のいずれか１項に記載の縦方向調整装置。
【請求項１５】
前記力伝達要素（３５）は、前記シートレール（５，８）の長手方向に対して垂直に延びる作動旋回軸（Ｂ）を有し、前記過負荷安全装置は、前記作動装置（１１）の通常の作動方向と反対の前記作動旋回軸（Ｂ）の周りの相対回転運動を可能にし、一方、前記力伝達要素（３５）は前記作動旋回軸（Ｂ）の周りで回転しないか又はわずかな範囲でのみ回転することを特徴とする、請求項１〜１４のいずれか１項に記載の縦方向調整装置。
【国際調査報告】
2013537137.tif 000017
2013537137.tif 000018
2013537137.tif 000019
2013537137.tif 000020
2013537137.tif 000021
2013537137.tif 000022